(57)【要約】      （修正有）【課題】表示部の面積を小さくできる冷蔵庫を提供する。【解決手段】表示部は、複数の色の光を発光でき且つ同時には１つの色の光だけを発光する発光部１００と、各色に対応するフィルム１０６Ｇ、１０６Ｒが積層された銘板フィルム１０６とを備える。各フィルム１０６Ｇ、１０６Ｒは、全ての色の光を通過させる透光領域と、フィルムに対応する色の光のみを遮断する遮光領域とを備える。【選択図】図６
2018123995.tif 000002
【特許請求の範囲】
【請求項１】
表示部を備える冷蔵庫において、
前記表示部は、複数の色の光を切り替えて発光する発光部と、前記各色に対応するフィルムが積層された銘板フィルムとを備え、
前記各フィルムは、全ての前記色の光を通過させる透光領域と、フィルムに対応する色の光のみを遮断する遮光領域とを備えることを特徴とする冷蔵庫。
【請求項２】
前記発光部は、前記各色について、該色の光を発光可能な発光体を備え、前記発光体を切り替えて発光することを特徴とする請求項１記載の冷蔵庫。
【請求項３】
少なくとも２つの前記色については一方の色に対応するフィルムの透光領域と他方の色に対応するフィルムの透光領域とが部分的に重複することを特徴とする請求項１または２記載の冷蔵庫。
【請求項４】
前記表示部が前記冷蔵庫の内部に配置されることを特徴とする請求項１ないし３のいずれかに記載の冷蔵庫。
【請求項５】
前記色ごとに、該色の光を発光または消光するための静電タッチ式のスイッチを備えることを特徴とする請求項１ないし４のいずれかに記載の冷蔵庫。
【請求項６】
前記色ごとに、該色の光を発光または消光するための機械式のスイッチを備えることを特徴とする請求項１ないし４のいずれかに記載の冷蔵庫。
【請求項７】
前記色ごとに、該色の光を発光または消光するためのスイッチとを備え、
全ての前記スイッチの位置が前記複数の色のいずれとも異なる同一の色で光ることを特徴とする請求項１ないし４のいずれかに記載の冷蔵庫。
【発明の詳細な説明】
【技術分野】
【０００１】
本発明は、冷蔵庫に関する。
【背景技術】
【０００２】
冷蔵庫の表示部は、例えば、複数のメニューのそれぞれについて、そのメニューでの選択肢を表示する表示領域を予め備える。いずれかの選択肢を選択すると、選択肢に対応する機能を有効になる。
【先行技術文献】
【特許文献】
【０００３】
【特許文献１】特開２０１４−４３９８２号公報
【発明の概要】
【発明が解決しようとする課題】
【０００４】
上記のように、表示部には、メニューごとに選択肢の表示領域が必要であり、表示領域の合計面積が必要である。よって、メニューが多い場合、大きな面積の表示部が必要となってしまう。また、表示部を冷蔵庫の外面に設ける場合、表示部の位置には、通常は断熱材を配置しないので、表示部の面積が大きいと、断熱材の面積が小さくなり、断熱効果が低下する。
【０００５】
本発明は、上記課題に鑑みてなされたものであり、表示部の面積を小さくできる冷蔵庫を提供することを目的とする。
【課題を解決するための手段】
【０００６】
実施形態の冷蔵庫は、表示部を備え、表示部は、複数の色の光を切り替えて発光する発光部と、各色に対応するフィルムが積層された銘板フィルムとを備える。各フィルムは、全ての色の光を通過させる透光領域と、フィルムに対応する色の光のみを遮断する遮光領域とを備える。
【図面の簡単な説明】
【０００７】
【図１】図１は、本発明の一実施形態に係わる冷蔵庫の全体構造を示す斜視図である。
【図２】図２は、表示部１６における通常の表示内容を示す図である。
【図３】図３は、図２のＡＡ線断面を模式的に示す図である。
【図４】図４は、表示部１６における温度調節の際の表示内容の一例を示す図である。
【図５】図５は、表示部１６における機能設定の際の表示内容の一例を示す図である。
【図６】図６は、図４、図５のＢＢ線断面を模式的に示す図である。
【図７】図７は、銘板フィルム１０６において選択肢ｍ１１、ｍ２１が表示される部分をパネル１０７側から見た平面図である。
【図８】図８は、緑色光の挙動を示す模式的に示す図である。
【図９】図９は、赤色光の挙動を示す模式的に示す図である。
【図１０】図１０は、表示部１６を冷蔵庫の内部に設ける場合の位置の例を示す図である。
【発明を実施するための形態】
【０００８】
以下、図面を用いて、本発明の実施形態について説明する。
【０００９】
本発明の一実施形態に係わる冷蔵庫の全体構造を示す斜視図である。図１に示す冷蔵庫１は、その本体が内箱と外箱との間に真空断熱材を挟んで構成される断熱箱体３で構成され、この断熱箱体３は、天井となる上面壁を構成する上面板状部５、底面壁を構成する底面板状部７、左側壁を構成する左側板状部９、右側壁を構成する右側板状部１１および背面壁を構成する背面板状部１３で構成されている。
【００１０】
なお、図１においては、右側板状部１１、背面板状部１３および底面板状部７は、背後に隠れている。また、上面板状部５、底面板状部７、左側板状部９、右側板状部１１および背面板状部１３を総称して記載する場合には、単に板状部と称することにする。
【００１１】
また、前記複数の板状部で上下左右および背部を囲まれた断熱箱体３の前面の開口部には、観音開き式の冷蔵室扉１５、引き出し式の野菜室扉１７、引き出し式の製氷室扉１９、引き出し式の第１の冷凍室扉２１、および引き出し式の第２の冷凍室扉２３が取り付けられている。
【００１２】
なお、第２の冷凍室扉２３は、製氷室扉１９の横に並んで設けられている。これらの冷蔵室扉１５、野菜室扉１７、製氷室扉１９、第１の冷凍室扉２１および第２の冷凍室扉２３の奥の断熱箱体３内には、それぞれ冷蔵室、野菜室、製氷室、第１の冷凍室および第２の冷凍室が設けられているる。
【００１３】
また、冷蔵室扉１５には、冷蔵庫１の設定などを行う際の表示を行う表示部１６が設けられている。表示部１６には、ここでは、設定などを行うための操作部が含まれることとする。
【００１４】
図２は、表示部１６における通常の表示内容を示す図である。
通常時において表示部１６は、温度調節の際に触れる位置に表示されるメニュー項目ｍ１と、機能設定の際に触れる位置に表示されるメニュー項目ｍ２と、温度調節と機能設定を終了する際に触れる位置に表示されるメニュー項目ｍ３とを表示する。表示の際は、各メニュー項目を構成する文字とこれを囲む線の部分から白色の光（以下、白色光という）が放出する。
【００１５】
図３は、図２のＡＡ線断面を模式的に示す図である。図３は、メニュー項目ｍ１の部分を示すものであるが、他のメニュー項目の部分も同様の構成となっている。
【００１６】
表示部１６は、メニュー項目の表示色に対応する白色光を発光する発光体１００Ｗなどが搭載される基板１０１と、基板１０１を収納するケース１０２と、基板１０１上に配置される遮蔽部材１０３と、遮蔽部材１０３上に配置される透光部材１０４と、透光部材１０４上に配置される電極フィルム１０５と、電極フィルム１０５上に配置される銘板フィルム１０６Ａと、銘板フィルム１０６Ａ上に配置される透明なガラスなどのパネル１０７とを備える。ここでは、発光体１００Ｗが発光ダイオードであり、これを発光部ともいう。
【００１７】
発光体１００Ｗとしては、主に窒化ガリウム(GaN)を材料とする青色発光ダイオードとこの青色発光ダイオードの光により励起されて光を放つ蛍光体とを組み合わせた蛍光体方式の発光ダイオードを使用できる。また、赤色、緑色、青色の発光ダイオードを組み合わせて白色光を発光させてもよい。また、発光ダイオードに関する種々の技術を適用して発光体１００Ｗを構成することができる。
【００１８】
パネル１０７は、冷蔵室扉１５の全体を透明なガラスなどによって覆うものであるが、例えば、パネル１０７における表示部１６以外の部分を鋼板としてもよい。
【００１９】
図示しないが、銘板フィルム１０６Ａにおいて、メニュー項目の部分では、メニュー項目の文字およびこれを囲む線の領域が、光を通過させる透光領域となっており、他の領域が、光を遮断する遮光領域となっている。
【００２０】
基板１０１に搭載される制御回路（図示せず）は、通常は、各メニュー項目の部分に配置された発光体１００Ｗを発光させる。光は、銘板フィルム１０６Ａの透光領域を通過し、各メニュー項目の文字などから白色光が放出する。これにより、各メニュー項目の文字等を視認できる。
【００２１】
図２の表示内容が表示されているとき、メニュー項目ｍ１の部分に使用者が触れると、電極フィルム１０５における静電容量値が変化し、温度調節の調整が可能となる。
【００２２】
図４は、表示部１６における温度調節の際の表示内容の一例を示す図である。
温度調節の際、基板１０１の制御回路は、メニュー項目ｍ２を非表示とする。また、選択肢ｍ１１〜ｍ１６のうちの現在の設定に対応する１つを表示する。そして、メニュー項目ｍ１の場所に触れるごとに、静電容量値の変化が生じ、別の選択肢に切り替えて表示する。表示の際は、各選択肢を構成する文字とこれを囲む線の部分から緑色の光（以下、緑色光という）が放出する。すなわち、メニュー項目ｍ１の部分（図３に示す構造）は、緑色光を発光および消灯するための静電タッチ式のスイッチとなっている。この静電タッチ式のスイッチに触れることで温度調節を行える。
【００２３】
そして、メニュー項目ｍ３の場所に触れると、現在表示されている選択肢に対応する設定が有効となり、図２の表示に戻る。
【００２４】
図２の表示内容が表示されているとき、メニュー項目ｍ２の部分に使用者が触れると、電極フィルム１０５における静電容量値が変化し、機能設定が可能となる。
【００２５】
図５は、表示部１６における機能設定の際の表示内容の一例を示す図である。
機能設定の際、基板１０１の制御回路は、メニュー項目ｍ１を非表示とする。また、各選択肢ｍ１１〜ｍ１６と同じ位置に各選択肢ｍ２１〜ｍ２６が表示できるようになっており、例えば、始めは選択肢ｍ２１だけを表示する。そして、メニュー項目ｍ２の場所に触れるごとに、静電容量値の変化が生じ、別の選択肢に切り替えて表示する。表示の際は、各選択肢を構成する文字とこれを囲む線の部分から赤色の光（以下、赤色光という）が放出する。すなわち、メニュー項目ｍ２の部分は、赤色光を発光および消灯するための静電タッチ式のスイッチとなっている。この静電タッチ式のスイッチに触れることで機能設定を行える。
【００２６】
そして、メニュー項目ｍ３の場所に触れると、現在表示されている選択肢に対応する機能が有効となり、図２の表示に戻る。
【００２７】
このように、選択肢の場所は、温度調節の際は緑色光を発光し、機能設定の際は赤色光を発光する。一方、メニュー項目の場所は、白色光を発光する。すなわち、緑と赤の色ごとの光を発光または消光するためのスイッチの位置（メニュー項目の場所）が、緑、赤のいずれとも異なる同一の色（白色）で光るので、メニュー項目と選択肢を容易に区別できる。
【００２８】
ここで、上記のように、同じ位置に温度調節の際は選択肢ｍ１１を、機能設定の際は選択肢ｍ２１を表示するための構造を説明する。
【００２９】
図６は、図４、図５のＢＢ線断面を模式的に示す図である。図６は、選択肢ｍ１１、ｍ２１の部分を示すものであるが、他の選択肢の部分も同様の構成となっている。
【００３０】
基板１０１において、選択肢が表示される部分には、温度調節の際の選択肢の表示色に対応する緑色光を発光する発光体１００Ｇ及び機能設定の際の選択肢の表示色に対応する赤色光を発光する発光体１００Ｒが搭載される。ここでは、発光体１００Ｇ、１００Ｒが発光ダイオードであるとし、両者を総称して発光部１００という。
発光体１００Ｇには、例えば、インジウム窒化ガリウム(InGaN)/窒化ガリウム (GaN)/アルミニウム窒化ガリウム (AlGaN)/リン化ガリウム(GaP)/セレン化亜鉛(ZnSe)などが使用される。他の材料を用いてもよい。発光体１００Ｒには、アルミニウムガリウムヒ素 (AlGaAs) /ガリウムヒ素リン(GaAsP) /リン化ガリウム(GaP)などが使用される。他の材料を用いてもよい。また、発光ダイオードに関する種々の技術を適用して発光体１００Ｇ、１００Ｒを構成することができる。
【００３１】
つまり、発光部１００は、選択肢が表示される部分の表示色である複数の色（緑と赤）の各色について、対応する色の光を発光可能な発光体１００Ｇ、１００Ｒを備え、発光体を切り替えて発光体する。
【００３２】
また、選択肢が表示される部分には、透光部材１０４は配置されず、銘板フィルム１０６Ａに代えて、銘板フィルム１０６が配置される。透明なパネル１０７は、銘板フィルム１０６上に配置される。
【００３３】
銘板フィルム１０６は、温度調節の際の表示色である緑色に対応するフィルム１０６Ｇと、機能設定の際の表示色である赤色に対応するフィルム１０６Ｒとを積層したものである。図では、フィルム１０６Ｒが基板１０１側であるが逆でもよい。
【００３４】
図７は、銘板フィルム１０６において選択肢ｍ１１、ｍ２１が表示される部分をパネル１０７側から見た平面図である。
【００３５】
フィルム１０６Ｇは、選択肢を表示するための全ての色の光、つまり、緑色光と赤色光を通過させる透光領域１０６１Ｇと、フィルム１０６Ｇに対応する緑色光のみを遮断する遮光領域１０６２Ｇとを備える。選択肢ｍ１１の文字「冷蔵」とこれを囲む線が透光領域１０６１Ｇ、その他の部分が遮光領域１０６２Ｇである。なお、遮光領域１０６２Ｇで文字などを形成し、その他の部分を透光領域１０６１Ｇとしてもよい。
【００３６】
フィルム１０６Ｒは、緑色光と赤色光を通過させる透光領域１０６１Ｒと、フィルム１０６Ｒに対応する赤色光のみを遮断する遮光領域１０６２Ｒとを備える。選択肢ｍ２１の文字「一気冷凍」とこれを囲む線が透光領域１０６１Ｒ、その他の部分が遮光領域１０６２Ｒである。なお、遮光領域１０６２Ｒで文字などを形成し、その他の部分を透光領域１０６１Ｒとしてもよい。
【００３７】
透光領域１０６１Ｇと透光領域１０６１Ｒとが少なくとも部分的に重複させることで、複雑な漢字などからなる選択肢ｍ１１と選択肢ｍ２１を同じ位置に表示できる。なお、透光領域１０６１Ｇと透光領域１０６１Ｒは重複していなくてもよい。
【００３８】
図８は、緑色光の挙動を示す模式的に示す図である。
温度調節の際は緑色光だけが発光する。矢印で示すように、緑色光は、透光領域１０６１Ｒを通過する。遮光領域１０６２Ｒは赤色光のみを遮断するので、緑色光は遮光領域１０６２Ｒも通過する。すなわち、全ての緑色光がフィルム１０６Ｒを通過する。
【００３９】
フィルム１０６Ｒを通過した緑色光は透光領域１０６１Ｇを通過し、遮光領域１０６２Ｇで遮断されるので、透光領域１０６１Ｇだけから緑色光が放出する。よって、温度調節の際の選択肢を構成する文字とこれを囲む線の部分から緑色光が放出する。
【００４０】
図９は、赤色光の挙動を示す模式的に示す図である。
機能設定の際は赤色光だけが発光する。矢印で示すように、赤色光は、透光領域１０６１Ｒを通過し、遮光領域１０６２Ｒで遮断される。
【００４１】
透光領域１０６１Ｒを通過した赤色光は透光領域１０６１Ｇを通過する。遮光領域１０６２Ｇは緑色光のみを遮断するので、赤色光は遮光領域１０６２Ｇも通過する。すなわち、透光領域１０６１Ｒを通過した全ての赤色光がフィルム１０６Ｇを通過する。よって、機能設定の際の選択肢を構成する文字とこれを囲む線の部分から赤色光が放出する。
【００４２】
以上のように、実施形態の冷蔵庫によれば、表示部１６は、緑と赤の複数の色の光を切り替えて発光する発光部１００と、各色に対応するフィルム１０６Ｇ、１０６Ｒが積層された銘板フィルム１０６とを備え、各フィルムは、全ての色の光を通過させる透光領域１０６１Ｇ、１０６１Ｒと、フィルムに対応する色の光のみを遮断する遮光領域１０６２Ｇ、１０６２Ｒとを備える。よって、表示部１６の同じ部分に異なる表示内容を表示でき、表示部１６の面積を小さくできる。また、冷蔵庫の外面における表示部１６以外の部分に配置される断熱材の面積を広くでき、断熱効果を高めることができる。
【００４３】
（変形例１）
なお、上記実施形態では、２色の光を用い、同じ場所で２つの表示内容（選択肢）を切り替えて表示させたが、同様の動作原理により、３色以上の光を用い、同じ場所で３以上の表示内容を切り替えて表示させてもよい。３色の場合の色としては、例えば、緑と赤と青が考えられる。
【００４４】
このような３色以上の場合であっても、各フィルムは、全ての色の光を通過させる透光領域と、フィルムに対応する色の光のみを遮断する遮光領域とを備えるものとすればよい。
【００４５】
（変形例２）
また、発光部１００は、緑色光を発光する発光体１００Ｇと赤色光を発光する発光体１００Ｒを備え、同時には１つの発光体だけが発光することとしたが、色は緑や赤の単色でなく中間色でもよい。例えば、２つの発光体を発光させ、赤みのある緑色光を発光させてもよい。また、青色光の発光体を加えることで、発光可能な色を増やすことができる。このように、色を変える場合は、銘板フィルム１０６の各フォルムをその色に対応させればよい。
【００４６】
なお、光の波長が近接すると、表示すべきでない表示内容が視認可能となる場合があるので、光の波長は離れていることが好ましい。
【００４７】
（変形例３）
また、上記実施形態では、表示部１６を冷蔵庫の扉に設けたが、これに限らず、表示部１６を冷蔵庫の内部に設けてもよい。
図１０は、断熱箱体３における冷蔵室扉１５の背後の部分を冷蔵室扉１５側から見た図である。表示部１６は、断熱箱体３における冷蔵室扉１５の背後の部分、つまり、冷蔵庫の内部に設けられている。このように、表示部１６を冷蔵庫の内部に設けることで、冷蔵庫の外面における断熱材の面積を広くでき、断熱効果を高めることができる。また、外部からのノイズの影響を受けにくくできる。そのため、特に冷蔵庫の断熱箱体に鋼板を用いる場合は、
表示部用のアース線などの部品が不要にできる。
【００４８】
（変形例４）
また、上記実施形態では、メニュー項目の部分に静電タッチ式のスイッチを設けたが、これを機械式のスイッチとしてもよい。機械式のスイッチとすることで構造を単純にでき、表示部１６のコストを削減できる。
【００４９】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１  冷蔵庫
１００  発光部
１００Ｇ、１００Ｒ、１００Ｗ  発光体
１０６、１０６Ａ  銘板フィルム
１０６Ｇ、１０６Ｒ  フィルム
１０６１Ｇ、１０６１Ｒ  透光領域
１０６２Ｇ、１０６２Ｒ  遮光領域
【図１】
2018123995.tif 000003
【図２】
2018123995.tif 000004
【図３】
2018123995.tif 000005
【図４】
2018123995.tif 000006
【図５】
2018123995.tif 000007
【図６】
2018123995.tif 000008
【図７】
2018123995.tif 000009
【図８】
2018123995.tif 000010
【図９】
2018123995.tif 000011
【図１０】
2018123995.tif 000012